(57)【要約】【課題】廃木材であっても木片に付着した泥や砂のみならず、含浸した汚泥水や海水などでも除去できるようにする洗浄方法を提供する。【解決手段】横軸心周りに駆動回転する回転ドラム１内に、木片１３と洗浄液１４を投入し、回転ドラム１を駆動回転させるに伴って、洗浄液１４が回転ドラム１の内周面における上半部から離れて落下する程度に洗浄液１４に遠心力を付与させて、その洗浄液１４を回転ドラム１に対して相対的に回転中心から内周面に向けて放射状または略放射状に流動させると共に、木片１３を、回転ドラム１の内周部における少なくとも下半部に保持させながら回転ドラム１と共に回転させて、その回転ドラム１内を流動する洗浄液１４で洗浄することにより付着物質を減少させた燃料とする。【選択図】図６
2014034015.tif 000002
【特許請求の範囲】
【請求項１】
横軸心周りに駆動回転する回転ドラム内に、木片と洗浄液を投入し、
前記回転ドラムを駆動回転させるに伴って、洗浄液が前記回転ドラムの内周面における上半部から離れて落下する程度に洗浄液に遠心力を付与させて、その洗浄液を前記回転ドラムに対して相対的に回転中心から内周面に向けて放射状または略放射状に流動させると共に、
木片を、前記回転ドラムの内周部における少なくとも下半部に保持させながら前記回転ドラムと共に回転させて、その回転ドラム内を流動する洗浄液で洗浄することにより付着物質を減少させた燃料とするセメント燃料製造方法。
【請求項２】
木片を前記内周部に保持させるのに、その木口を前記回転ドラムの内側に向く姿勢に保持する請求項１に記載のセメント燃料製造方法。
【請求項３】
前記回転ドラムの回転に伴って、木片を前記回転ドラムの内周面における上半部から離れて落下する程度に前記回転ドラムに保持させるべく木片に遠心力を付与する請求項１または２に記載のセメント燃料製造方法。
【請求項４】
木片と洗浄液とを、前記回転ドラムの軸心方向の一端側に投入すると共に、他端側から排出させる請求項３に記載のセメント燃料製造方法。
【請求項５】
前記回転ドラムに投入する前記木片は、長さ５０〜１５０ｍｍの物を選定するとともに、洗浄液には前記回転ドラムの駆動回転に基づいて回転ドラムの半径方向先端部に０．６Ｇ以上の力が作用するように遠心力を作用させる請求項１〜４のいずれか１項に記載のセメント燃料製造方法。
【請求項６】
請求項１または２に記載のセメント燃料製造方法に使用する製造装置であって、
駆動回転可能な前記回転ドラムの軸心方向の一端側に木片と洗浄液との投入部を設けると共に、他端側に木片と洗浄液との排出部を設け、
前記回転ドラムをその駆動回転に基づいて洗浄液に遠心力を付与する遠心力付与手段を設け、
木片をその木口が前記回転ドラムの内側に向く姿勢に保持する保持手段を、前記回転ドラムの内周部に設けてあるセメント燃料製造装置。
【請求項７】
前記回転ドラムの内周部でその中心側に向けて突出すると共に前記回転ドラムの長手方向に沿う突条部を、前記回転ドラムの周方向に木片の長さ以下のピッチで多数配設して、その突出量を、木片の長さ以上に形成することにより木片に対する前記保持手段に形成し、且つ、前記回転ドラムの駆動回転に基づく共回りにより、洗浄液を前記回転ドラムの中心側から内周面に向けて流動させる遠心力付与手段に形成してあり、
遠心力が付与された洗浄液が前記回転ドラム周方向に流動する流動路を、前記突条部の一部に形成してある請求項６に記載のセメント燃料製造装置。
【請求項８】
前記突条部の一部に切欠き部を設けて、前記流動路に形成してある請求項７に記載のセメント燃料製造装置。
【請求項９】
前記回転ドラムの周方向に貫通する貫通孔を前記突条部に設けて、前記流動路に形成してある請求項７に記載のセメント燃料製造装置。
【発明の詳細な説明】
【技術分野】
【０００１】
本発明は、セメント燃料製造方法及びその製造装置に関する。
【背景技術】
【０００２】
セメント燃料として、高騰する石油に代えて建築廃材や産業廃棄物に含まれる木片を利用することが考えられている。
特に、自然災害などで発生した瓦礫の処分として可燃性物質としての木材は、その有効利用が必要とされている。
しかし、建築廃材や産業廃棄物に含まれる木片は、泥や砂にまみれ、また、自然災害により発生した廃木材などには、汚泥水や海水などに浸漬して木部組織中の道管や師管あるいは細胞間の空隙などに、それらの汚泥水や海水が含浸して残存したものがあり、再利用できるようにするためには、木片に付着した泥や砂の他に、木部組織中に含浸した汚泥水や海水などを洗浄して除去しなければならず、その洗浄方法として、洗浄水に廃木材を浮かべて搖動させるなどして洗浄することが考えられている（例えば、特許文献１参照）。
【先行技術文献】
【特許文献】
【０００３】
【特許文献１】特開２００２−２３９４８１号公報
【発明の概要】
【発明が解決しようとする課題】
【０００４】
上述した従来の方法では、木片の表面に付着した泥や砂などは容易に除去できるが、木部組織に含浸した汚泥水や海水などを除去するのは困難であった。
つまり、洗浄水に浮遊する廃木材を搖動するだけでは、洗浄水が木部組織中に簡単には侵入しにくい。そこで、特開２００９−７３０７５号公報に提案されているように、洗浄する木材の一方側木口を液密状態に閉塞すると共に、他方側木口も液密状態に閉塞するようにチャンバ内に固定し、その木材の一方側の木口から洗浄水を加圧して含浸させながら、他方側の木口から吸引してその洗浄水を排出する方法を採用することが考えられる。
しかし、廃木材のように洗浄しようとする木材の径や長さの他に形状が多種混在している木片においては、その方法では困難を極めるものであった。
【０００５】
従って、本発明の目的は、上記問題点を解消し、セメント燃料として廃木材であっても木片に付着した泥や砂のみならず、含浸した汚泥水や海水などでも洗浄して除去できるようにするセメント燃料製造方法及びその製造装置を提供するところにある。
【課題を解決するための手段】
【０００６】
本発明の第１の特徴構成におけるセメント燃料製造方法は、横軸心周りに駆動回転する回転ドラム内に、木片と洗浄液を投入し、前記回転ドラムを駆動回転させるに伴って、洗浄液が前記回転ドラムの内周面における上半部から離れて落下する程度に洗浄液に遠心力を付与させて、その洗浄液を前記回転ドラムに対して相対的に回転中心から内周面に向けて放射状または略放射状に流動させると共に、木片を、前記回転ドラムの内周部における少なくとも下半部に保持させながら前記回転ドラムと共に回転させて、その回転ドラム内を流動する洗浄液で洗浄することにより付着物質を減少させた燃料とするところにある。
【０００７】
本発明の第１の特徴構成によれば、例えば、回転ドラムの回転が遅すぎると、洗浄液には遠心力が作用せずに木片と共に回転ドラム内を移動しながら撹拌されるだけであり、また、回転ドラムの回転が速すぎる場合には、洗浄液は回転ドラムの内周面から離れずに回転ドラムと共に回転して、回転ドラムに対して相対的に流動しなくなり、木片に対する洗浄作用はあまり期待することはできず、木部組織中に侵入した汚泥水や海水までも除去することはできない。
つまり、例えば静止状態では汚泥水や海水が含浸した木片の表面において、木片内部の含浸物濃度と洗浄液との境界部において溶液の濃度分布勾配が形成される境膜部が、木片内部から洗浄液側への含浸物質の溶出の推進力となるが、木片内部の道管や師管あるいは細胞間の空隙などは、含浸物質の移動距離に対して内径が非常に細いために、分子拡散レベルの移動速度となり、木口における含浸物質濃度を高く保つことができず、結果として、木片の洗浄には長時間を要する。
【０００８】
これに対し、本発明においては、横軸心周りに駆動回転する回転ドラム内に、木片と洗浄液を投入し、前記回転ドラムを駆動回転させるに伴って、洗浄液が前記回転ドラムの内周面における上半部から離れて落下する程度に洗浄液に遠心力を付与させて、その洗浄液を前記回転ドラムに対して相対的に回転中心から内周面に向けて放射状または略放射状に流動させることによって、洗浄液は回転ドラム内を回転ドラムと共に回転しながら回転ドラムの内周面における上半部から離れて落下しながら撹拌流動するばかりか、回転ドラムから受ける遠心力により、回転ドラムの回転中心から内周面に向けて放射状または略放射状に流動すると、前記境膜部が剥離されてより薄くなり、そのために、大きな洗浄液の流動により木部組織内からの含浸物質の移動が促進されるとともに、遠心力により木片内部に洗浄液が浸入し、木片内部の細孔内で移流拡散を促し、内部での含浸物質の移動速度が大きくなり、含浸した汚泥水や海水の溶出が促進される。
その上、木片を、前記回転ドラムの内周部における少なくとも下半部に保持させながら前記回転ドラムと共に回転させて、その回転ドラム内を流動する洗浄液で洗浄することにより、回転ドラムの内周部に保持された木片に、洗浄液の遠心力に伴う半径方向の水圧差により、洗浄液の木片内部への浸入が安定的に作用しながら流動し、木片の表面のみならず木部組織内に侵入した汚泥や海水までも、より効果的に流出させることができる。
【０００９】
本発明の第２の特徴構成は、木片を前記内周部に保持させるのに、その木口を前記回転ドラムの内側に向く姿勢に保持するところにある。
【００１０】
本発明の第２の特徴構成によれば、本発明の第１の特徴構成による上述の作用効果を叶えることができるのに加えて、木口を前記回転ドラムの内側に向く姿勢に木片を保持させることにより、遠心力に基づく浸透圧が木口に作用しやすく、洗浄液が道管や師管を通して木口から木片の木部組織内へ安定的に侵入することができる。
従って、木片の洗浄を、表面のみならず木部組織内部にまでも行うことができ、セメント燃料としての利用がよりしやすくなる。
【００１１】
本発明の第３の特徴構成は、前記回転ドラムの回転に伴って、木片を前記回転ドラムの内周面における上半部から離れて落下する程度に前記回転ドラムに保持させるべく木片に遠心力を付与するところにある。
【００１２】
本発明の第３の特徴構成によれば、回転ドラムの回転に伴って、木片が回転ドラムの内周面における上半部から離れて落下することにより、木片は回転ドラム内を相対的に移動して撹拌され、その木片に対する洗浄液の接触率が偏りなく、より均等になる。
従って、回転ドラム内に投入した多数の木片を、まんべんなく洗浄することができる。
【００１３】
本発明の第４の特徴構成は、木片と洗浄液とを、前記回転ドラムの軸心方向の一端側に投入すると共に、他端側から排出させるところにある。
【００１４】
本発明の第４の特徴構成によれば、回転ドラムの軸心方向の一端側に投入された木片は、回転ドラムの回転に伴って洗浄されながら他端側から排出されことにより、常に未処理の木片を前記一端側から投入して洗浄処理でき、連続的に多数の木片の洗浄処理を行うことができる。
【００１５】
本発明の第５の特徴構成は、前記回転ドラムに投入する前記木片は、長さ５０〜１５０ｍｍの物を選定するとともに、洗浄液には前記回転ドラムの駆動回転に基づいて回転ドラムの半径方向先端部に０．６Ｇ以上の力が作用するように遠心力を作用させるところにある。
【００１６】
本発明の第５の特徴構成によれば、回転ドラムの半径方向先端部に作用する重力加速度を、０．６Ｇ以上の遠心力が働くようにすることで、長さ５０〜１５０ｍｍの木片に対し、例えば図６に示すように、回転度ドラム１内周面近くの第１流れＡの周速度と前記内周面から遠ざかった箇所の第２流れＢの周速度の差に基づく木口から木部組織内への吸引力が十分に働き、一方の木口から他方の木口に向けて洗浄液１４が流通して洗浄できる。言い換えれば、回転ドラム１の半径方向先端部に０．６Ｇ未満の遠心力しか働かないと、木片１３の木口に対し、十分な浸透力が得られない。
【００１７】
本発明の第６の特徴構成におけるセメント燃料製造装置は、  請求項１または２に記載のセメント燃料製造方法に使用する製造装置であって、駆動回転可能な前記回転ドラムの軸心方向の一端側に木片と洗浄液との投入部を設けると共に、他端側に木片と洗浄液との排出部を設け、前記回転ドラムをその駆動回転に基づいて洗浄液に遠心力を付与する遠心力付与手段を設け、木片をその木口が前記回転ドラムの内側に向く姿勢に保持する保持手段を、前記回転ドラムの内周部に設けてあるところにある。
【００１８】
本発明の第６の特徴構成によれば、回転ドラムの内周部に設けた保持手段により、木口が回転ドラムの内側に向く姿勢に保持された木片に対し、遠心力付与手段により洗浄液に遠心力が付与されることにより、その遠心力に基づいて発生する浸透圧が木口に作用しやすく、洗浄液が道管や師管を通して木口から木片の木部組織内へ安定的に侵入することができる。
従って、木片の洗浄を、表面のみならず木部組織内部にまでも行うことができ、セメント燃料としての利用がよりしやすくなる。
その上、回転ドラムの投入部から木片と洗浄液を投入しながら、排出部から処理済みの木片と洗浄液を排出させることができて、未処理の木片の連続洗浄処理ができる。
【００１９】
本発明の第７の特徴構成は、前記回転ドラムの内周部でその中心側に向けて突出すると共に前記回転ドラムの長手方向に沿う突条部を、前記回転ドラムの周方向に木片の長さ以下のピッチで多数配設して、その突出量を、木片の長さ以上に形成することにより木片に対する前記保持手段に形成し、且つ、前記回転ドラムの駆動回転に基づく共回りにより、洗浄液を前記回転ドラムの中心側から内周面に向けて流動させる遠心力付与手段に形成してあり、遠心力が付与された洗浄液が前記回転ドラム周方向に流動する流動路を、前記突条部の一部に形成してあるところにある。
【００２０】
本発明の第７の特徴構成によれば、保持手段を形成するのに、前記回転ドラムの内周部でその中心側に向けて突出すると共に前記回転ドラムの長手方向に沿う突条部を、前記回転ドラムの周方向に木片の長さ以下のピッチで多数配設して、その突出量を、木片の長さ以上に形成することにより、回転ドラム内に投入した木片が、その木口が回転ドラムの内側に向く姿勢に保持されやすくなる。その上、突条部により遠心力付与手段に兼用構成されることにより、簡単な構造で洗浄液に遠心力を付与でき、遠心力の与えられた洗浄液による洗浄作用をより安定的に与えることができる。また、遠心力が付与された洗浄液が前記回転ドラム周方向に流動する流動路を、前記突条部の一部に形成してあることにより、洗浄液の流動はより確実になる。
従って、木片の洗浄をより効率よく行える
【００２１】
本発明の第８の特徴構成は、前記突条部の一部に切欠き部を設けて、前記流動路に形成してあるところにある。
【００２２】
本発明の第８の特徴構成によれば、前記突条部の一部に切欠き部を設けて、前記流動路に形成してあることにより、例えば、突条部を回転ドラムの長手方向に複数配設するだけの簡単な設計が可能となり、製造装置の製造コストを低減できる。
【００２３】
本発明の第９の特徴構成は、前記回転ドラムの周方向に貫通する貫通孔を前記突条部に設けて、前記流動路に形成してあるところにある。
【００２４】
本発明の第９の特徴構成によれば、貫通孔の形成により流動路を形成することにより、突条部全体の強度を落とさずに洗浄液に遠心力を作用させることができる。
【図面の簡単な説明】
【００２５】
【図１】セメント燃料製造装置の全体側面図である。
【図２】回転ドラムの側面図である。
【図３】回転ドラムの背面図である。
【図４】回転ドラムの一部斜視図である。
【図５】回転ドラムの径方向断面図である。
【図６】回転ドラム径方向断面視により木片洗浄のメカニズムを表す説明図である。
【図７】回転ドラムの縦断面視による木片洗浄の作用図で、（ａ）は木片と洗浄液の投入時を表し、（ｂ）は木片と洗浄液を洗浄しながら排出する連続運転する作用図である。
【図８】木片の電子顕微鏡写真で、（ａ）は洗浄前の縦断面写真、（ｂ）は洗浄後の縦断面写真を表す。
【図９】木片の電子顕微鏡写真で、（ａ）は洗浄前の表面写真、（ｂ）は洗浄後の表面の写真を表す。
【図１０】木片の洗浄前後の塩素濃度分布を表すグラフである。
【図１１】水洗前の木片の電子顕微鏡写真で、（ａ）は２５０倍、（ｂ）は１５００倍、（ｃ）は１５００倍の写真の一部の１００００倍の写真である。
【図１２】図１１（ｃ）における元素分析のグラフである。
【図１３】水洗後の木片の電子顕微鏡写真で、（ａ）は１０００倍、（ｂ）は１００００倍の写真である。
【図１４】別実施形態の回転ドラムの内部を表す一部斜視図である。
【図１５】別実施形態の回転ドラムの内部を表す一部斜視図である。
【図１６】別実施形態の回転ドラムの内部を表す一部斜視図である。
【発明を実施するための形態】
【００２６】
以下に本発明の実施の形態を図面に基づいて説明する。
建築廃材や産業廃棄物あるいは津波などの自然災害により発生した廃棄用の木材を、セメント燃料として使用するために、それらの廃木材の表面に付着したり、木部組織内部に含浸した汚泥、砂、海水、放射性物質等は、洗浄により除去する必要が有る。
そこで、廃木材を洗浄しやすいように、破砕機（図外）により破砕して略同サイズの木片とする。
その後、図１〜図７に示すように、  横軸心周りに駆動回転する回転ドラム１内に、木片１３と洗浄液１４を投入し（図７（ａ））、回転ドラム１を駆動回転させるに伴って（図７（ｂ））、洗浄液１４が回転ドラム１の内周面における上半部から離れて落下する程度に洗浄液１４に遠心力を付与させて、その洗浄液１４を回転ドラム１に対して相対的に回転中心から内周面に向けて放射状または略放射状に流動させると共に、木片１３を、回転ドラム１の内周部における少なくとも下半部に保持させながら回転ドラム１と共に回転させて、その回転ドラム１内を流動する洗浄液１４で洗浄することにより付着物質を減少させた燃料とするために、洗浄液１４を溜めることができる液貯水槽(図外)を設け、且つ、横軸心周りに回転自在に支持した回転ドラム１を設け、回転ドラム１内に木片と洗浄液を投入するためのベルトコンベヤ２及びホッパー３から成る投入手段を設け、駆動モータ４とその駆動モータ４から回転ドラム１に回転力を伝える伝動装置５とを備えるセメント燃料製造装置を構成してある。
【００２７】
回転ドラム１には、駆動回転可能な回転ドラム１の軸心方向の一端側に木片１３と洗浄液１４との投入部６を設けると共に（図１、図２）、他端側に木片１３と洗浄液１４との排出部７を設け（図１、図２、図４）、回転ドラム１の内周部でその中心側に向けて突出すると共に回転ドラム１の長手方向に沿う突条部８を、回転ドラム１の周方向に木片１３の長さ以下のピッチで多数配設して、その突出量を、木片１３の長さ以上に形成することにより木片１３に対する保持手段に形成し、且つ、回転ドラム１の駆動回転に基づく共回りにより、洗浄液１４を回転ドラム１の中心側から内周面に向けて流動させる遠心力付与手段に形成してある。
また、回転ドラム１と共に回転する突条部８により遠心力が付与された洗浄液１４が、回転ドラム１の周方向に流動するための流動路９を、突条部８の一部に切欠き部１０を設けることにより、形成してある。従って、図６に示すように、遠心力の付与された洗浄液１４が、流動路９を通って回転ドラム１の周方向に流動できる。
そのために、回転度ドラム１内周面近くの第１流れＡの周速度が、内周面から遠ざかった箇所の第２流れＢの周速度よりも大きくなり、その第１流れＡと第２流れＢとの周速度差が、木片１３の木口から木部組織内方への吸引力として働いて、洗浄する。
つまり、洗浄液１４が回転ドラム１の回転軸側から内周面に向かって流動し、その流動によって、回転ドラム１の内周部に保持された木片１３に対する洗浄力を発揮する。
【００２８】
尚、投入部６から投入される木片１３は、破砕機により廃木材を、予め略直径１０ｍｍ、長さ５０〜１５０ｍｍの小片に破砕処理しておき、突条部８を突出量１００ｍｍでドラム周方向に１００ｍｍのピッチで等間隔に設け、回転ドラム１内に投入する木片１３と洗浄液１４との比率は、重量比で１：３以上にする。これにより木片１３は、隣接する突条部８間で回転ドラム１の中心に向かって立った姿勢で保持され易くなり、且つ、洗浄液１４による洗浄力が発揮し易くなる。
そして、回転ドラム１の投入部６から木片１３と洗浄液１４とを同時に投入しながら（図７（ａ））、回転ドラム１を回転させることにより、洗浄液１４に遠心力を付与して、木片１３を洗浄し、排出部７から木片１３と洗浄液１４を同時に排出させることで(図７（ｂ）)、連続運転するように構成してある。
【００２９】
前記駆動モータ４による回転ドラム１の駆動回転は、洗浄液１４に重力加速度で０．６Ｇ以上の遠心力が回転ドラム１の半径方向先端部に作用するように回転駆動することにより、投入した木片１３に対する表面の境膜の剥離作用と、木部組織内への浸透力が、有効に働くものである。
つまり、回転ドラム１の半径方向先端部に作用する重力加速度を、０．６Ｇ以上の遠心力が働くようにすることで、長さ５０〜１５０ｍｍの木片１３に対し、図６に示す第１流れＡの周速度と第２流れＢの周速度の差に基づく木口から木部組織内への吸引力が十分に働き、一方の木口から他方の木口に向けて洗浄液１４が流通して洗浄できる。言い換えれば、回転ドラム１の半径方向先端部に０．６Ｇ未満の遠心力しか働かないと、木片１３の木口に対し、十分な浸透力が得られない。
【００３０】
〔実施例１〕
上記セメント燃料製造装置により木片１３を洗浄した結果を、洗浄前と洗浄後とで比較して洗浄効果を確かめるべく、電子顕微鏡写真を撮った。
それによると、図８（ａ）に示される洗浄前の木片断面における木部組織内部に存在していた粘土鉱物が、洗浄後には、図８（ｂ）に示すように、木部組織内部にはなくなる。また、図９（ａ）に示される洗浄前の木片表面に厚く付着していた粘土鉱物が、洗浄後には、図９（ｂ）に示すように、少なくなり、木表面が全面に露出し、その洗浄効果が明確に表れている。
【００３１】
〔実施例２〕
上記セメント燃料製造装置により洗浄する破砕木材チップの塩素濃度分布を、洗浄前と洗浄後とで比較して洗浄効果を確かめるべく、図１０のグラフに示した。
それによると、３回の実験結果（Ｒ１、Ｒ２、Ｒ３）の洗浄の前・後夫々の塩素濃度分布は、洗浄前のＲ１−前、Ｒ２−前、Ｒ３−前の分布が、４０００〜５０００ｍｇ／ｋｇ−ＷＢにピークがあるのに対し、洗浄後のＲ１−後、Ｒ２−後、Ｒ３−後の分布が、約５００ｍｇ／ｋｇ−ＷＢにピークがあり、洗浄の前よりも後の方が塩素濃度分布が大きく減少していることが分かる。
【００３２】
〔実施例３〕
木片１３を、上記セメント燃料製造装置による洗浄の前と後とで比較して、塩除去の状況を電子顕微鏡と元素分析とで確認した。尚、塩には、セシウム塩化物とその他の塩化物結晶も含まれる。
つまり、図１１（ａ）〜図１１（ｃ）に示すように、洗浄前の状況では、図１１（ａ）の２５０倍の木質組織の導管垂直断面試料の電子顕微鏡写真を、１５００倍に拡大し（図１１（ｂ））、更に１００００倍に拡大する（図１１（ｃ））と、木質内壁の壁面には、角が角ばった多角体（ポリゴン）に近い結晶らしき固体が付着していることが観察される。
この洗浄前の検査体を、図１１（ｃ）の視野において元素分析して図１２のグラフに示した。これによると、塩素（Ｃｌ）が検出されナトリウム（Ｎａ）も僅かに検出されていることが明らかである。
次に、図１３（ａ）〜図１３（ｂ）に示すように、洗浄後の状況では、図１３（ａ）の１０００倍の木質組織の導管垂直断面試料の電子顕微鏡写真を、更に１００００倍に拡大する（図１３（ｂ））と、導管内壁表面の微細構造が見られるのみで、塩結晶粒子は見られなかった。
従がって、導管内壁に付着していた塩結晶は、本発明の洗浄によって除去されていることが確認できる。
〔別実施形態〕
以下に他の実施の形態を説明する。
【００３３】
〈１〉  前記回転ドラム１の回転軸心は、実施形態では水平に設けたが、必ずしも水平である必要ではなく、投入部６よりも排出部７側が少し低くなるように傾斜した回転軸心を有するものであってもよい。この場合、投入部６から回転ドラム１内に投入する木片１３と洗浄液１４が洗浄作用しながら自然に排出部７からスムーズに排出するようになる。
〈２〉  前記回転ドラム１内での木片１３の保持は、回転ドラム１の内周部における上半部からも落下せずに保持されるようにしてもよい。この場合には、連続洗浄処理ではなく、バッチ処理になるが、各木片１３の木口に洗浄液１４が大きな浸透圧で作用しやすくなる。
〈３〉  突条部８により木片１３の保持手段と遠心力付与手段を兼用させるものに代えて、図１４に示すように、突条部８とは別に、保持手段としてメッシュ１５を回転ドラム１の内周面から内側に一定距離を置いて張り巡らせた状態で取り付けてもよい。
〈４〉  また、図１５に示すように、回転ドラム１の周方向及び軸心方向に隣接する突条部８間に亘ってワイヤーや鉄筋等の長尺材１２を張設して、その突条部８及び長尺材１２により、前記保持手段及び遠心力付与手段の機能を備えさせてあってもよい。
〈５〉  図１６に示すように、前記突条部８に、回転ドラム１の周方向に貫通する貫通孔１１を設けて、流動路９に形成してあってもよい。
【００３４】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００３５】
１      回転ドラム
１３    木片
１４    洗浄液
【図１】
2014034015.tif 000003
【図２】
2014034015.tif 000004
【図３】
2014034015.tif 000005
【図４】
2014034015.tif 000006
【図５】
2014034015.tif 000007
【図６】
2014034015.tif 000008
【図７】
2014034015.tif 000009
【図１０】
2014034015.tif 000010
【図１２】
2014034015.tif 000011
【図１４】
2014034015.tif 000012
【図１５】
2014034015.tif 000013
【図１６】
2014034015.tif 000014
【図８】
2014034015.tif 000015
【図９】
2014034015.tif 000016
【図１１】
2014034015.tif 000017
【図１３】
2014034015.tif 000018